(57)【特許請求の範囲】
【請求項１】
ミシンに設けられ糸張力を調整させるミシン糸調子装置であって、
第１糸調子皿と、
前記第１糸調子皿とで糸を挟むように前記第１糸調子皿に対面する第２糸調子皿と、
前記第１糸調子皿および前記第２糸調子皿が互いに接近する方向に前記第２糸調子皿を前記第１糸調子皿に向けて付勢させて糸張力を調整させるバネ力を有する糸調子バネと、
前記糸調子バネのバネ力の強弱の度合を調整させるバネ力調整方向に沿って移動可能な可動体と、
回転中心の回りを回転可能に設けられ、円筒部と、回転に伴い前記可動体を前記バネ力調整方向に沿って移動させる変換機構と、前記円筒部の内周壁において回転中心に対して所定のピッチ円直径で形成された複数の内歯とをもつ回転体と、
ユーザの回転操作により前記回転体に対して回転可能に設けられ、前記回転体の前記内歯のピッチ円直径Ｄinよりも小さなピッチ円直径Ｄoutで形成され前記回転体の前記内歯に噛み合い可能な複数の外歯をもち、且つ、回転に伴い前記外歯および前記内歯の噛み合いにより前記回転体の回転速度を減速させるように回転を伝達させて前記回転体を共通方向に回転させる糸調子ダイヤルとを具備することを特徴とするミシン糸調子装置。
【請求項２】
請求項１において、前記糸調子ダイヤルは、ユーザが回転操作する外筒部と、前記外筒部に対して同軸的に設けられ前記外歯を有する内筒部で形成されたギヤとを有することを特徴とするミシン糸調子装置。
【請求項３】
請求項２において、前記糸調子ダイヤルは、これの回転中心が前記回転体の回転中心に対して偏心するように設けられ、前記外筒部及び前記内筒部を連結させる連結部としての軸端面を前記回転体側に有し、
前記軸端面は、前記回転体で隠蔽される隠蔽面部分と、前記回転体から露出する露出面部分とを有することを特徴とするミシン糸調子装置。
【請求項４】
請求項３において、前記糸調子ダイヤルの前記軸端面は、糸張力の強弱の度合を示す表示部を備えており、糸張力の強弱の度合を示す前記表示部の方向と、前記糸調子ダイヤルの回転方向とが共通であることを特徴とするミシン糸調子装置。
【請求項５】
糸張力を調整させるミシン糸調子装置を備えるミシンであって、
前記ミシン糸調子装置は、
第１糸調子皿と、
前記第１糸調子皿とで糸を挟むように前記第１糸調子皿に対面する第２糸調子皿と、
前記第１糸調子皿および前記第２糸調子皿が互いに接近する方向に前記第２糸調子皿を前記第１糸調子皿に向けて付勢させて糸張力を調整させるバネ力を有する糸調子バネと、
前記糸調子バネのバネ力の強弱の度合を調整させるバネ力調整方向に沿って移動可能な可動体と、
回転中心の回りを回転可能に設けられ、円筒部と、回転に伴い前記可動体を前記バネ力調整方向に沿って移動させる変換機構と、前記円筒部の内周壁において回転中心に対して所定のピッチ円直径で形成された複数の内歯とをもつ回転体と、
ユーザの回転操作により前記回転体に対して回転可能に設けられ、前記回転体の前記内歯のピッチ円直径Ｄinよりも小さなピッチ円直径Ｄoutで形成され前記回転体の前記内歯に噛み合い可能な複数の外歯をもち、且つ、回転に伴い前記外歯および前記内歯の噛み合いにより前記回転体の回転速度を減速させるように回転を伝達させて前記回転体を共通方向に回転させる糸調子ダイヤルとを具備することを特徴とするミシン。
【発明の詳細な説明】
【技術分野】
【０００１】
本発明はミシン糸調子装置およびミシンに関する。
【背景技術】
【０００２】
特許文献１は糸張力を調整させるミシン糸調子装置を示す。この装置は、第１糸調子皿と、第２糸調子皿と、第２糸調子皿を第１糸調子皿に向けて付勢させて糸張力を調整させるバネ力を有する糸調子バネと、糸調子バネのバネ力の強弱の度合を調整させる糸調子ダイヤルと、糸調子ダイヤルに設けられ糸調子バネを調整可能なバネ力調整カムと、バネ力調整カムに追従移動することで糸調子バネのバネ力を調整可能な伝達板と、伝達板に螺合し糸調子バネの他端部を受ける第１調整部材とを有する。
【０００３】
また特許文献２は糸張力を調整させるミシン糸調子装置を示す。この装置は、上糸に作用する張力を調整する糸調子ダイヤルと、糸調子ダイヤルに形成され糸調子バネのバネ力を調整可能なバネ力調整カムとを有する。ユーザが手動で糸調子ダイヤルを回転させることにより所望の張力を得ることができる。
【先行技術文献】
【特許文献】
【０００４】
【特許文献１】特開２００８−２６４０６５号公報
【特許文献２】特開平６−１５４４５４号公報
【発明の概要】
【発明が解決しようとする課題】
【０００５】
縫製物に応じて所望の糸張力を得るためには、ユーザがダイヤルを手動で回転させることにより、糸張力を変化させることが必要である。縫製物の厚みが薄いときには、糸張力を小さくさせることが好ましい。縫製物の厚みが厚いときには、糸張力を増加させることが好ましい。糸張力を増加させるためには、糸調子バネのバネ定数を高めることが好ましい。しかし糸調子バネのバネ定数を高めると、糸調子ダイヤルの回転トルクが大きくなり、ユーザは、糸調子ダイヤルの回転操作を重く感じ、糸調子ダイヤルの回転操作に違和感を感じる。糸調子ダイヤルの径サイズを増加すれば、糸調子ダイヤルの回転操作の違和感が軽減されるが、ミシンデザイン性を考慮すると、糸調子ダイヤルの径の大型化には限界がある。
【０００６】
本発明は上記した実情に鑑みてなされたものであり、糸調子バネのバネ定数を高めるときであっても、糸調子ダイヤルの径サイズの大型化を抑制させつつ、糸調子バネのバネ力を微調整させるのに有利なミシン糸調子装置およびミシンを提供することを課題とする。
【課題を解決するための手段】
【０００７】
（１）本発明の様相１に係るミシン糸調子装置は、ミシンに設けられ糸張力を調整させるミシン糸調子装置であって、（ｉ）第１糸調子皿と、（ｉｉ）第１糸調子皿とで糸を挟むように第１糸調子皿に対面する第２糸調子皿と、（ｉｉｉ）第１糸調子皿および第２糸調子皿が互いに接近する方向に第２糸調子皿を第１糸調子皿に向けて付勢させて糸張力を調整させるバネ力を有する糸調子バネと、（ｉｖ）糸調子バネのバネ力の強弱の度合を調整させるバネ力調整方向に沿って移動可能な可動体と、（ｖ）回転中心の回りを回転可能に設けられ、円筒部と、回転に伴い可動体をバネ力調整方向に沿って移動させる変換機構と、円筒部の内周壁において回転中心に対して所定のピッチ円直径で形成された複数の内歯とをもつ回転体と、（ｖｉ）ユーザの回転操作により回転体に対して回転可能に設けられ、回転体の内歯のピッチ円直径Ｄinよりも小さなピッチ円直径Ｄoutで形成され回転体の内歯に噛み合い可能な複数の外歯をもち、且つ、回転に伴い外歯および内歯の噛み合いにより回転体の回転速度を減速させるように回転を伝達させて回転体を共通方向に回転させる糸調子ダイヤルとを具備することを特徴とする。
【０００８】
回転体が回転されると、回転体の回転は変換機構により可動体をバネ力調整方向に沿って移動させる。これにより糸調子バネのバネ力の強弱の度合は調整され、第１糸調子皿と第２糸調子皿とで糸を挟む力が調整され、ひいては糸張力が調整される。
【０００９】
ユーザにより糸調子ダイヤルが回転操作されると、糸調子ダイヤルと共に外歯が回転する。すると、回単体のうち外歯と噛み合う内歯が回転体の回転中心を中心として回転する。ここで、糸調子ダイヤルの外歯のピッチ円直径Ｄoutは、回転体の内歯のピッチ円直径Ｄinよりも小さくされている。従って外歯の歯数Ｎoutは、回転体の内歯の歯数Ｎinよりも小さくされている。このため糸調子ダイヤルが駆動源となり、糸調子ダイヤルの外歯と回転体の内歯とが噛み合うとき、減速機構が構成される。従って、ユーザが糸調子ダイヤルの回転操作するとき、糸調子ダイヤルの回転速度を減速させつつ回転体に伝達させることができる。前述したように回転体が回転されると、回転体の回転は変換機構により可動体をバネ力調整方向に沿って移動させ、これにより糸調子バネのバネ力の強弱の度合を調整し、第１糸調子皿と第２糸調子皿とで糸を挟む力を調整し、ひいては糸張力を調整させる。
【００１０】
このような本発明によれば、糸調子ダイヤルが駆動源となり、糸調子ダイヤルの外歯と回転体の内歯とが噛み合うとき、減速機構が構成されるため、糸調子バネのバネ力の強弱の度合を微調整させ、第１糸調子皿と第２糸調子皿とで糸を挟む力を微調整させ、ひいては糸張力を微調整させることができる。この場合、減速機構が設けられていない場合に比較して、即ち、ユーザが回転体を直接回転させる場合に比較して、糸調子バネのバネ力の強弱の度合を効率よく調整させることができる。
【００１１】
ところで小さな糸張力から大きな糸張力まで得るためには、バネ定数が高い糸調子バネをできるだけ使用することが好ましい。更に、布等の被縫製物の厚みが厚い場合には、糸張力を増加させるために、糸調子バネのバネ定数を高めことが好ましい。しかしこの場合、ユーザが操作する糸調子ダイヤルの回転トルクが大きくなる。更に糸調子ダイヤルを微量回転操作しただけでも、糸調子バネのバネ力の強弱の度合の変動が大きくなり、糸調子バネのバネ力の強弱の度合を微調整させるには必ずしも容易ではない。即ち、第１糸調子皿と第２糸調子皿とで糸を挟む力を微調整させるには、必ずしも容易ではない。ひいては糸張力を微調整させるには必ずしも容易ではない。この点本発明によれば、糸調子ダイヤルが駆動源となり、糸調子ダイヤルの外歯と回転体の内歯とが噛み合うとき、減速機構が構成されるため、糸調子バネのバネ力の強弱の度合を微調整させ、第１糸調子皿と第２糸調子皿とで糸を挟む力を微調整させ、ひいては糸張力を微調整させることができる。この場合、糸調子バネのバネ定数が高い場合であっても、減速機構が設けられていない場合に比較して、即ち、ユーザが回転体を直接回転させる場合に比較して、糸調子バネのバネ力の強弱の度合を効率よく調整させることができる。
【００１２】
（２）本発明の様相２に係るミシン糸調子装置によれば、上記様相において、糸調子ダイヤルは、ユーザが回転操作する外筒部と、外筒部に対して同軸的に設けられ外歯を有する内筒部で形成されたギヤとを有することを特徴とする。この場合、ユーザが糸調子ダイヤルを回転操作させれば、糸調子ダイヤルの外歯と回転体の内歯とが噛み合い、減速機構が構成されるため、可動体の位置を微調整できる。このため、糸調子バネのバネ力の強弱の度合を微調整させ、第１糸調子皿と第２糸調子皿とで糸を挟む力を微調整させ、ひいては糸張力を微調整させるのに有利となる。
【００１３】
（３）本発明の様相３に係るミシン糸調子装置によれば、上記様相において、糸調子ダイヤルはこれの回転中心が回転体の回転中心に対して偏心するように設けられ、外筒部及び内筒部を連結させる連結部としての軸端面を回転体側に有し、軸端面は、回転体で隠蔽される隠蔽面部分と、回転体から露出する露出面部分とを有することを特徴とする。この場合、糸調子ダイヤルはこれの回転中心が回転体の回転中心に対して偏心しているため、ユーザは、糸調子ダイヤルと回転体とを視覚的または操作的に混同することが抑えられる。糸張力の強弱の度合を調整させる表示部を糸調子ダイヤルの軸端面に形成すれば、ユーザは、糸調子ダイヤルの露出面部分の表示部を視覚的に認識できる。
【００１４】
（４）本発明の様相４に係るミシン糸調子装置によれば、上記様相において、糸調子ダイヤルの軸端面は、糸張力の強弱の度合を示す表示部を備えており、糸張力の強弱の度合を示す表示部の方向と、糸調子ダイヤルの回転方向とが共通であることを特徴とする。ユーザによる糸調子ダイヤルの回転操作に伴い、糸調子ダイヤルの軸端面は、回転体で隠蔽される隠蔽面部分から、回転体から露出する露出面部分に切り替わることができる。このため、糸調子ダイヤルの軸端面に、糸張力の強弱の度合を示す表示部が形成されていれば、ユーザは、露出面部分に表示されている表示部を視覚的に認識でき、糸張力の強弱の度合を表示部で視覚的に認識できる。この場合、糸張力の強弱の度合を示す表示部の方向と、糸調子ダイヤルの回転方向とが共通であるため、ユーザは、違和感を感じることなく、糸張力の強弱の度合を調整できる。
【００１５】
（５）本発明の様相５に係るミシンは、糸張力を調整させるミシン糸調子装置を備えるミシンであって、ミシン糸調子装置は、（ｉ）第１糸調子皿と、（ｉｉ）第１糸調子皿とで糸を挟むように第１糸調子皿に対面する第２糸調子皿と、（ｉｉｉ）第１糸調子皿および第２糸調子皿が互いに接近する方向に第２糸調子皿を第１糸調子皿に向けて付勢させて糸張力を調整させるバネ力を有する糸調子バネと、（ｉｖ）糸調子バネのバネ力の強弱の度合を調整させるバネ力調整方向に沿って移動可能な可動体と、（ｖ）回転中心の回りを回転可能に設けられ、円筒部と、回転に伴い可動体をバネ力調整方向に沿って移動させる変換機構と、円筒部の内周壁において回転中心に対して所定のピッチ円直径で形成された複数の内歯とをもつ回転体と、（ｖｉ）ユーザの回転操作により回転体に対して回転可能に設けられ、回転体の内歯のピッチ円直径Ｄinよりも小さなピッチ円直径Ｄoutで形成され回転体の内歯に噛み合い可能な複数の外歯をもち、且つ、回転に伴い外歯および内歯の噛み合いにより回転体の回転速度を減速させるように回転を伝達させて回転体を共通方向に回転させる糸調子ダイヤルとを具備することを特徴とする。
【００１６】
様相１と同様の作用が得られる。すなわち、ユーザが糸調子ダイヤルを回転操作し、糸調子ダイヤルが駆動源となり糸調子ダイヤルの外歯と回転体の内歯とが噛み合うとき、減速機構が構成されるため、糸調子バネのバネ力の強弱の度合を微調整させ、第１糸調子皿と第２糸調子皿とで糸を挟む力を微調整させ、ひいては糸張力を微調整させることができる。この場合、糸調子バネのバネ定数が高い場合であっても、減速機構が設けられていない場合に比較して、即ち、ユーザが回転体を直接回転させる場合に比較して、糸調子バネのバネ力の強弱の度合を効率よく調整させることができる。
【発明の効果】
【００１７】
本発明によれば、ユーザが糸調子ダイヤルを回転操作して、糸調子ダイヤルの外歯と回転体の内歯とが噛み合うとき、減速機構を構成するため、可動体の位置を微調整でき、糸調子バネのバネ力の強弱の度合を微調整させ、ひいては糸張力の強弱の度合を微調整させることができる。このように減速機構が設けられているため、減速機構が設けられていない場合に比較して、即ち、ユーザが回転体を直接回転させる場合に比較して、糸調子バネのバネ定数が高いときであっても、糸調子バネのバネ力の強弱の度合を効率よく調整させることができる。しかも糸調子ダイヤルを回転操作させるトルクを低減でき、ユーザが糸調子ダイヤルを重く感じることが抑制される。
【００１８】
更に本発明によれば、糸調子バネのバネ定数が高い場合であっても、減速機構が設けられていない場合に比較して、即ち、ユーザが回転体を直接回転させる場合に比較して、糸調子ダイヤルを回転操作させるトルクを小さく抑えることができるため、糸調子バネのバネ力の強弱の度合を効率よく調整させることができる。
【図面の簡単な説明】
【００１９】
【図１】糸調子装置の斜視図である。
【図２】糸調子装置の回転体の内歯と糸調子ダイヤルの外歯との噛み合い状態を示す図である。
【図３】回転体の変換機構を模式的に示す図である。
【図４】適用形態を示し、糸調子装置を有するミシンの正面図である。
【発明を実施するための形態】
【００２０】
第１糸調子皿および第２糸調子皿は、糸を挟んで糸張力を調整させる。糸調子バネは、第１糸調子皿および第２糸調子皿が互いに接近する方向に第２糸調子皿を第１糸調子皿に向けて付勢させて糸張力を調整させるバネ力を有する。可動体は、糸調子バネのバネ力の強弱の度合を調整させるバネ力調整方向に沿って移動可能とされている。回転体は、回転中心の回りを回転可能に設けられており、回転に伴い可動体をバネ力調整方向に沿って移動させる変換機構をもつ。回転体は、変換機構をもつ円筒部と、円筒部の内周壁において回転中心に対して所定のピッチ円直径で形成された複数の内歯とをもつ。糸調子ダイヤルは、ユーザの回転操作により回転体に対して回転可能に設けられており、回転体の内歯のピッチ円直径Ｄinよりも小さなピッチ円直径Ｄoutで形成され回転体の内歯に噛み合い可能な複数の外歯をもつ。ユーザが糸調子ダイヤルを回転操作させると、外歯および内歯の噛み合いにより糸調子ダイヤルの回転速度を減速させつつ、回転体に伝達させて回転体を糸調子ダイヤルの回転と共通する方向に回転させる。
【００２１】
（実施形態）
以下、本発明の実施形態について図１から図３を参照しつつ説明する。図１に示すように、ミシン糸調子装置１は糸張力を調整させるものであり、ミシン本体２に取り付けられたブラケット２４０（一部のみ図示）に保持されている。ミシン糸調子装置１は、第１糸調子皿３１と、第１糸調子皿３１とで糸を挟むように第１糸調子皿３１に対面する第２糸調子皿３２と、軸４０の外周側にほぼ同軸的に設けられたコイルバネで形成された糸調子バネ４と、可動体５と、回転体６と、糸調子ダイヤル７とを有する。
【００２２】
第１糸調子皿３１は、ミシン本体２に固定されている。第２糸調子皿３２は、第１糸調子皿３１とで糸を挟むように第１糸調子皿３１に対面するように設けられている。糸調子バネ４は、第２糸調子皿３２を第１糸調子皿３１に向けて接近させる方向に第２糸調子皿３２を第１糸調子皿３１に向けて矢印Ｘ１方向に付勢させる。これにより糸張力を調整させる。糸調子バネ４と可動体５との間には、指掛け用の凹凸部８０を外周部にもつ糸調子ナット８が介在する。工業製品である糸調子バネ４のバネ力は微小レベルではばらつきおそれがある。このため出荷時等において、製造者等は糸調子ナット８をこれの軸心回りで回動すれば、糸調子バネ４のバネ力を調整できる。
【００２３】
糸調子板として機能する可動体５は、糸調子バネ４のバネ力の強弱の度合を調整させるバネ力調整方向（矢印Ｘ方向）に沿って移動可能とされている。図１に示すように、回転体６は、第１回転中心６０となる軸６０ｍを中心として周方向（矢印Ａ１，Ａ２方向）に回転可能に設けられている。回転体６は、回転に伴い可動体５をバネ力調整方向（矢印Ｘ方向）に沿って移動させる変換機構６２をもつ。回転体６がこれの周方向（矢印Ａ１，Ａ２方向）に沿って回転されると、回転体６の回転は、変換機構６２により可動体５をバネ力調整方向（矢印Ｘ方向）に沿って移動させる。これにより糸調子バネ４のバネ力の強弱の度合は調整され、第１糸調子皿３１と第２糸調子皿３２とで糸を挟む力が調整され、ひいては上糸の糸張力が調整される。
【００２４】
更に説明を加える。図３に示すように、変換機構６２は、回転体６の第１回転中心６０に対して一端部６３ｅから他端部６３ｆにかけて渦巻状に形成されたカム溝６３と、カム溝６３に沿って相対的に案内される従動子６５とを有する。従動子６５は可動体５に一体的に設けられているため、可動体５と共に矢印Ｘ方向に変位できるものの回転しない。図３に示すように、第１回転中心６０とカム溝６３との距離Ｌは、一端部６３ｅから他端部６３ｆにかけて次第に増加するように、カム溝６３は第１回転中心６０に対して渦巻き状に形成されている。ここで図３に示すように、カム溝６３の径内側の一端部６３ｅと第１回転中心６０との距離Ｌ１とされている。カム溝６３の径外側の他端部６３ｆと回転中心との距離Ｌ２（Ｌ２＞Ｌ１）とされている。回転体６がこれの第１回転中心６０の回りで一方向（矢印Ａ１方向）に回転すると、カム溝６３が第１回転中心６０を中心として回転体６と同じ方向に回転するため、従動子６５がカム溝６３に係合しつつ案内されて矢印Ｘ１方向に移動し、これにより可動体５は矢印Ｘ１方向に移動する。この結果、糸調子バネ４は矢印Ｘ１方向に圧縮され、糸調子バネ４のバネ力は強くなり、第１糸調子皿３１および第２糸調子皿３２の圧接力が増加し、上糸の糸張力は強くなる。
【００２５】
これに対して、図３から理解できるように、回転体６が第１回転中心６０の回りで他方向（矢印Ａ２方向）に回転すると、カム溝６３が回転体６と共に第１回転中心６０の回りで同方向に回転するため、従動子６５がカム溝６３に係合しつつ案内されて矢印Ｘ２方向に移動し、これにより糸調子バネ４のバネ力により可動体５は矢印Ｘ２方向に移動する。この場合、糸調子バネ４は自身のバネ力により矢印Ｘ２方向に伸長され、この結果、糸調子バネ４のバネ力は弱くなり、第１糸調子皿３１および第２糸調子皿３２の圧接力が減少し、上糸の糸張力は弱くなる。
【００２６】
本実施形態によれば、図２に示すように、回転体６は、外周面６６ｓをもつ円筒部６６と、円筒部６６の内周壁において周方向に並設された複数の内歯６７とをもつ。図２に示すように、内歯６７は、回転体６の第１回転中心６０の回りを１周するように円筒部６６の内周部において全周にわたり形成されている。図２に示すように、内歯６７のピッチ円直径はＤinで示される。内歯６７のピッチ円直径Ｄinは、減速比などを考慮して、糸調子ダイヤル７の外径ＤＡよりも大きい。但しこれに限定されるものではない。
【００２７】
糸調子ダイヤル７は、ユーザの回転操作により軸７０ｍの第２回転中心７０回りで回転可能とされており、糸調子装置１の全体を保持するミシン本体２のブラケット２４０（図１参照）に保持されている。糸調子ダイヤル７は、指先の摩擦係合等のために周方向（矢印Ｂ１，Ｂ２方向）に延設された凹凸部７１をもつ外筒部７２と、外筒部７２に同軸的に設けられた内筒部７３で形成されたギヤ７４と、内筒部７３と外筒部７２とを繋ぐ軸端面７５（図１参照）とを有する。図２に示すように、ギヤ７４は、回転体６の内歯６７に噛み合い可能な複数の外歯７７をもつ。ギヤ７４の外歯７７のピッチ円直径Ｄoutは、減速のため、回転体６の内歯６７のピッチ円直径Ｄinよりも小さくされている（Ｄout＜Ｄin）。
【００２８】
図２から理解できるように、ユーザにより糸調子ダイヤル７がこれの周方向に回転操作されると、外歯７７および内歯６７の噛み合いにより、糸調子ダイヤル７の回転速度を減速させつつ回転体６に伝達させ、且つ、回転体６を糸調子ダイヤル７の回転方向と共通する方向に回転させる。従って、図１および図２から理解できるように、糸調子ダイヤル７が矢印Ｂ１方向に回転操作されるときには、回転体６は、糸調子ダイヤル７の回転方向（矢印Ｂ１方向）と共通する矢印Ａ１方向に回転する。また、糸調子ダイヤル７が矢印Ｂ２方向に回転操作されるときには、回転体６は、糸調子ダイヤル７の回転方向（矢印Ｂ２方向）と共通する矢印Ａ２方向に回転する。
【００２９】
すなわち本実施形態によれば、図２から理解できるように、ユーザにより糸調子ダイヤル７が第２回転中心７０まわりで矢印Ｂ１方向に回転操作されると、糸調子ダイヤル７のギヤの外歯７７が連動して回転し、外歯７７と噛み合う内歯６７が回転体６の第１回転中心６０を中心として矢印Ａ１方向に回転する。この結果、可動体５および糸調子ナット８が矢印Ｘ１方向に移動し、糸調子バネ４を同方向に変位させ第２糸調子皿３２を第１糸調子皿３１に接近させ、上糸の糸張力を強めに調整させる。
【００３０】
また、ユーザにより糸調子ダイヤル７が第２回転中心７０まわりで矢印Ｂ２方向に回転操作されると、糸調子ダイヤル７のギヤの外歯７７が連動して回転し、外歯７７と噛み合う内歯６７が回転体６の第１回転中心６０を中心として矢印Ａ２方向に回転する。この結果、可動体５および糸調子ナットが矢印Ｘ２方向に移動し、糸調子バネ４を同方向に変位させ第２糸調子皿３２を第１糸調子皿３１から離間させ、糸張力を弱めに調整させる。
【００３１】
ここで、図２から理解できるように、糸調子ダイヤル７の外歯７７のピッチ円直径Ｄoutは、回転体６の内歯６７のピッチ円直径Ｄinよりも小さくされている（Ｄout＜Ｄin）。従って、外歯７７の歯数Ｎoutは、回転体６の内歯６７の歯数Ｎinよりも小さくされている（Ｎout＜Ｎin）。このためユーザにより糸調子ダイヤル７が回転操作されるとき、糸調子ダイヤル７の外歯７７と回転体６の内歯６７とが噛み合い、糸調子ダイヤル７の回転速度を回転体６に減速させて伝達させる減速機構７９が形成される。従って、ユーザが糸調子ダイヤル７を回転操作させるとき、糸調子ダイヤル７の回転を減速させつつ回転体６に伝達させることができる。更に減速機構が設けられているため、ユーザが糸調子ダイヤル７の回転操作を重く感じることが抑制される。
【００３２】
ここで本実施形態によれば、ユーザが回転体６を直接的に回転操作すれば、回転体６は糸張力を粗調整させる機能を示す。ユーザが糸調子ダイヤル７を直接的に回転操作すれば、糸調子ダイヤル７は糸張力を微調整させる機能を示す。ここで、糸張力を調整させるに当たり、回転体６の回転方向と糸調子ダイヤル７の回転方向とを共通方向とさせているため、仮にユーザが回転体６と糸調子ダイヤル７とを混同して過誤操作したとしても、糸張力の粗調整と微調整との差異だけであり、糸張力の強弱の度合を調整させる方向の差異はないため、操作性が確保される。
【００３３】
前述したように、回転体６が回転されると、その回転に伴い、回転体６の回転は変換機構６２により可動体５をバネ力調整方向（矢印Ｘ１，Ｘ２方向）に沿って移動させ、これにより糸調子バネ４のバネ力の強弱の度合を調整し、第１糸調子皿３１と第２糸調子皿３２とで糸を挟む力を調整し、ひいては糸張力を調整させることができる。このような本実施形態によれば、糸調子ダイヤル７の外歯７７と回転体６の内歯６７とが噛み合うときにおいて減速機構７９が形成される。このため、糸調子バネ４のバネ力の強弱の度合を微調整させることができ、第１糸調子皿３１と第２糸調子皿３２とで糸を挟む力を微調整させ、ひいては糸張力を微調整させることができる。この場合、減速機構７９が設けられていない場合に比較して、即ち、ユーザが回転体６を直接回転させる場合に比較して、小さなトルクで回転体６を回転できるため、可動体５を容易に且つ高精度で移動させることができ、糸調子バネ４のバネ力の強弱の度合を効率よく調整させ、糸張力を微調整させることができる。
【００３４】
更に図２に示すように、糸調子ダイヤル７の外筒部７２の外径ＤＡは、糸調子ダイヤル７のギヤ７４の外歯７７のピッチ円直径Ｄoutに対して大きく設定されている。この場合、ユーザが周方向において糸調子ダイヤル７の外筒部７２を回転させる回転距離に対して、ギヤ７４の外歯７７の回転距離は小さくなる。この意味ににおいても糸張力微調整用の減速機構を形成できる。
【００３５】
ところで、小さな糸張力から大きな糸張力まで得るためには、バネ定数が高い高剛性の糸調子バネ４を使用することが好ましい。更に、布等の被縫製物の厚みが厚い場合には、糸張力を増加させるために糸調子バネ４のバネ定数を高めて糸調子バネ４を硬くさせることが好ましい。しかしながら糸調子バネ４のバネ定数が高い場合には、糸調子ダイヤルの回転トルクが過剰に大きくなる傾向があり、ユーザが糸調子ダイヤル７の回転操作を重く感じ、違和感の要因となる。更に、糸調子ダイヤルを回転操作させただけでも、糸調子バネ４のバネ力の強弱の度合の変動が敏感に大きく変動し、糸調子バネ４のバネ力の強弱の度合を微調整させるには必ずしも容易ではない。ひいては、糸張力を微調整させるには必ずしも容易ではない。更に、糸調子バネ４のバネ定数を高めつつ微調整させるためには、可動体５の矢印Ｘ方向におけるストロークを増加させる必要があるが、可動体５の矢印Ｘ方向におけるサイズが大型化してしまい、ミシンデザインを損なう不具合がある。
【００３６】
この点本実施形態によれば、糸調子ダイヤル７がユーザにより回転操作されるとき、糸調子ダイヤル７の外歯７７と回転体６の内歯６７とが噛み合うとき、糸調子ダイヤル７の回転速度を減速させて回転体６に伝達させる減速機構７９が形成されるため、糸調子バネ４のバネ定数を高くした場合であっても、ユーザが糸調子ダイヤル７を回転操作させるトルクを小さくでき、糸調子ダイヤル７の回転操作を重く感じることが抑制され、更に、糸調子バネ４のバネ力の強弱の度合を容易に微調整させることができる。よって第１糸調子皿３１と第２糸調子皿３２とで糸を挟む力を微調整させ、ひいては糸張力を微調整させることができる。
【００３７】
このため本実施形態によれば、糸調子バネ４のバネ定数が高い場合であっても、減速機構７９が設けられていない場合に比較して、即ち、ユーザが回転体６を直接回転させる場合に比較して、糸調子バネ４のバネ力の強弱の度合を効率よく調整させることができる。このように糸調子バネ４のバネ定数が高いときでも支障がないことから、糸調子バネ４のバネ定数を高めつつ、糸調子バネ４の軸長方向等の小型化を図ることができる。勿論、ユーザが糸張力を粗調整したい場合には、ユーザは回転体６を直接的に回転操作させれば良い。
【００３８】
本実施形態によれば、図１に示すように、糸調子ダイヤル７は、外筒部７２および内筒部７３を連結させる連結部としての軸端面７５を回転体６側に有する。図２から理解できるように、糸調子ダイヤル７は、第２回転中心７０が回転体６の第１回転中心６０に対して上側（矢印Ｕ方向側）に偏心するように設けられている。そして、糸調子ダイヤル７の外筒部７２の軸端面７５は、回転体６で隠蔽される隠蔽面部分７５ａと、回転体６から露出する露出面部分７５ｃとを有する。このように糸調子ダイヤル７および回転体６は互いに隣設されつつも、糸調子ダイヤル７は回転体６の第１回転中心６０に対して偏心して配置されているため、ユーザは、糸調子ダイヤル７と回転体６とを視覚的に区別でき、両者を混同して操作してしまう不具合が抑えられる。殊に、糸調子ダイヤル７は、上側（矢印Ｕ方向側）に偏心して設けられているため、ユーザは糸調子ダイヤル７を操作させ易い利点が得られる。
【００３９】
更に本実施形態によれば、図１に示すように、回転体６の軸端面６８は外方に露出しており、上糸の糸張力の粗調整用の強弱の度合を示す表示部６９を備えている。表示部６９によって、糸張力の粗調整用の強弱の度合をユーザは認識することができる。しかも、糸張力の強弱の度合を示す表示部６９の方向と、回転体６の回転操作方向とは共通している。すなわち、糸張力を強くすべく回転体６を矢印Ａ１方向に回転操作させると、表示部６９は糸張力の強い度合を示す。このため、ユーザは違和感を感じることなく、張力粗調整用の回転体６を回転操作することができる。
【００４０】
加えて本実施形態によれば、図１に示すように、糸調子ダイヤル７の軸端面７５は、上糸の糸張力の微調用の強弱の度合を示す表示部７８を備えている。ユーザは、露出面部分７５ｃの微調整用の表示部７８を視覚的に認識できる。すなわち、ユーザによる糸調子ダイヤル７の回転操作に伴い、糸調子ダイヤル７の軸端面７５については、回転体６で隠蔽される隠蔽面部分７５ａから、回転体６から露出する露出面部分７５ｃに切り替わることができる。このため、糸調子ダイヤル７の軸端面７５に形成されている糸張力の微調整用の強弱の度合を示す表示部７８によって、糸張力の微調整用の強弱の度合をユーザは認識し易い。しかも糸張力の強弱の度合を示す表示部７８の回転操作方向と、糸調子ダイヤル７の回転操作方向とは共通している。すなわち、糸張力を強くすべく糸調子ダイヤル７を矢印Ｂ１方向に回転操作させると、表示部７８は糸張力の強い度合を示す。このため、ユーザは、違和感を感じることなく、張力微調整用の糸調子ダイヤル７を操作することができる。なお、万一、ユーザが糸調子ダイヤル７の回転操作と回転体６の回転操作とを混同して操作したとしても、表示部６９，７８が糸張力を強弱の度合を示す方向と、糸調子ダイヤル７および回転体６の回転方向とは共通しているため、混同による大きな弊害は抑制される。
【００４１】
本実施形態によれば、図１から理解できるように、回転体６の軸端面６８と糸調子ダイヤル７の軸端面７５とは、それぞれ同一方向に露出しており、ユーザから視認される。よって、軸端面６８に形成されている糸張力粗表示用の表示部６９と、軸端面７５に形成されている糸張力微表示用の表示部７８は、同一方向に露出しており、ユーザから容易に視認される。
【００４２】
（適用形態）
図４は適用形態を示す。ミシンのミシン本体２は、ベッド部２２と、ベッド部２２の一端部から上方に延びる縦アーム部２３と、縦アーム部２３の上部から水平方向に延びる横アーム部２４と、針を取り付ける針棒２５と、押さえ棒の昇降を操作する押さえ上げレバー２６とをもつ。横アーム部２４のブラケット２４０には、ユーザが上糸の張力を調整させるために操作する糸調子装置１が設けられている。
【００４３】
（その他）
前記した実施形態によれば、回転体６の回転運動を可動体５の直動に変換させる変換機構６２は、カム溝６３を用いているが、これに限らず、円筒カム等の他のカムでも良く、要するに回転体６の回転運動を可動体５の直進運動に変更できるものでああれば良い。糸調子ダイヤル７は、上側（矢印Ｕ方向側）に偏心して設けられているが、ミシン正面に対向するユーザ側に突出していても良い。本発明は上記し且つ図面に示した実施形態のみに限定されるものではなく、要旨を逸脱しない範囲内で適宜変更して実施できる。
【符号の説明】
【００４４】
１はミシン糸調子装置、２はミシン本体、２４０はブラケット、３１は第１糸調子皿、３２は第２糸調子皿、４は糸調子バネ、５は可動体、６は回転体、６０は第１回転中心、６２は変換機構、６３はカム溝、６５は従動子、６７は内歯、６８は軸端面、６９は表示部、７は糸調子ダイヤル、７０は第２回転中心、８は糸調子ナット、７５は軸端面、７５ａは隠蔽面部分、７５ｃは露出面部分、７７は外歯、７８は表示部、７９は減速機構を示す。
【図１】
0005810620.tif 000002
【図２】
0005810620.tif 000003
【図３】
0005810620.tif 000004
【図４】
0005810620.tif 000005